(57)【要約】【課題】  簡単な構造で縁部材同士の突き合わせ状態を維持することができ、しかも製造容易で低価格で製造することができる引戸のロック装置を提供する。【解決手段】  縁部材９Ａが引戸本体３の端部に取り付けられ、この縁部材９Ａを他の縁部材９Ｂに突き合わせるようにした引戸に具備されて、前記突き合わせ状態を維持する引戸のロック装置であって、前記縁部材９Ａ，９Ｂの一方に掛止部材２５が設けられ、他方の縁部材９Ａの凹溝１８に長手方向に摺動自在に嵌合保持されたスライド体２６が設けられ、このスライド体２６に、スライド体２６の摺動により、前記掛止部材２５に係脱自在とされる係合部材２７が設けられている可能とされている。【選択図】図１
2015190242.tif 000002
【特許請求の範囲】
【請求項１】
外面に長手方向の凹溝（１８）を有する縁部材（９Ａ）が引戸本体（３）の端部に取り付けられ、この縁部材（９Ａ）を引戸本体（３）で開口（２）を閉鎖した際に他の縁部材（９Ｂ）に突き合わせるようにした引戸に具備されて、前記突き合わせ状態を維持する引戸のロック装置であって、
前記縁部材（９Ａ，９Ｂ）の一方に掛止部材（２５）が設けられ、他方の縁部材（９Ａ）の凹溝（１８）に長手方向に摺動自在に嵌合保持されたスライド体（２６）が設けられ、このスライド体（２６）に、スライド体（２６）の摺動により、前記掛止部材（２５）に係脱自在とされる係合部材（２７）が設けられていることを特徴とする引戸のロック装置。
【請求項２】
前記係合部材（２７）は、前記縁部材（９Ａ，９Ｂ）同士が突き合わされる対向面又は表裏側面の一側面に配置され、前記掛止部材（２５）は、係合部材（２７）が上側から係脱自在に係合してこれを受け止めるように、一方の縁部材（９Ｂ）から鈎形に上方突出されていることを特徴とする請求項１に記載の引戸のロック装置。
【請求項３】
前記縁部材（９Ａ）の表裏側面に凹溝（１８）が設けられており、前記スライド体（２６）は縁部材（９Ａ）の表裏側面に一対設けられて、縁部材（９Ａ）の表裏側面の凹溝（１８）にそれぞれ摺動自在に嵌合保持され、前記係合部材（２７）は前記縁部材（９Ａ，９Ｂ）同士が突き合わされる対向面を経由して、一対のスライド体（２６）に連結されていることを特徴とする請求項１又は２に記載の引戸のロック装置。
【請求項４】
前記スライド体（２６）が設けられた縁部材（９Ａ）には、前記掛止部材（２５）から離脱した位置で前記係合部材（２７）を保持する仮止め部材（４２）が設けられていることを特徴とする請求項１〜３のいずれかに記載の引戸のロック装置。
【請求項５】
前記係合部材（２７）は磁着性材料で形成され、前記仮止め部材（４２）が磁石で構成されていることを特徴とする請求項４に記載の引戸のロック装置。
【請求項６】
前記掛止部材（２５）が設けられた縁部材（９Ｂ）には、ロック解除状態を示す表示（４７）とロック状態を示す表示（４９）とがそれぞれ仮止め部材（４２）と掛止部材（２５）に対応して施された表示シール（４５）が設けられていることを特徴とする請求項４又は５に記載の引戸のロック装置。
【発明の詳細な説明】
【技術分野】
【０００１】
本発明は、縁部材同士の突き合わせ状態を維持するようにした引戸のロック装置に関するものである。
【背景技術】
【０００２】
例えば、工場や倉庫の出入り口には、内外を仕切るためのビニールカーテン等で構成した左右一対の引戸本体を具備する引戸が設けられている。この種の引戸では、左右の引戸本体の上部の複数箇所を、複数の吊下部材を介して支持レールにそれぞれ左右方向に移動自在に吊り下げて支持し、左右の引戸本体の対向端部に上下方向の縁部材を取り付け、引戸本体で開口を閉鎖した際に一対の縁部材同士を突き合わせるようにし、一対の縁部材の突き合わせ側に磁石をそれぞれ取り付け、磁石の吸引力によって縁部材の突き合わせ状態を保持するようにしたものがある（例えば特許文献１）。
【０００３】
この場合、強い風が吹くと、磁石同士が外れて引戸本体の縁部材同士が離間して、開口が開いてしまうため、突き合わせ状態を維持するように一対の縁部材間にロック装置を設けるようにしたものがある
この種の従来の引戸のロック装置には、一方の縁部材の前側面と後側面とにフック状の掛止部材を設け、他方の縁部材の前側面と後側面とに、掛止部材に上側から係脱自在に係合する係合部材を設け、この前後の係合部材を縁部材に前後に貫通して回転自在に挿通した支持軸に連結し、これにより係合部材を支持軸廻りに回転自在に支持するようにしたものがある（特許文献として存在しなかったが実際に製造及び使用されていた）。
【０００４】
しかし、上記従来の場合、中空状の型材で形成された縁部材に支持軸を挿通するための取付孔を正確に貫通させて形成することは困難であり、取付孔のずれによるガタ付きや回転不良を生じ易く、ロック装置の取り付けや製造が面倒で製造費が高く付いた。また、係合部材が掛止部材に係合していない状態では、係合部材が支持軸廻りにブラ付いて邪魔になったり、騒音を生じたりするという問題もあった。
【０００５】
そこで、一対の縁部材の一方に掛止部材を設け、他方の縁部材に長手方向に摺動自在に保持されたスライド体を設け、このスライド体に、スライド体の摺動により、前記掛止部材に係脱自在に係合される係合部材を設けるようにしたものがある（例えば特許文献２）。この場合、縁部材に支持軸を挿通するための取付孔を形成する必要がなくなるし、係合部材がブラ付くのを防止できる。
【先行技術文献】
【特許文献】
【０００６】
【特許文献１】特開２０１３−１１１７０号公報
【特許文献２】特開２００２−１６８０７５号公報
【発明の概要】
【発明が解決しようとする課題】
【０００７】
しかし、従来（特許文献２）の場合、スライド体が縁部材に対してどのようにして長手方向に摺動自在に保持されているか不明であり、仮にスライド体で縁部材を抱き持して、摺動自在に保持されているのであれば、スライド体の構造が複雑で大型のものとなり、ロック装置の製造が面倒で製造費が高く付くようになると考えられる。
本発明は上記問題点に鑑み、ロック及びロック解除の操作を簡単になし得ることができて、簡単な構造で縁部材同士の突き合わせ状態を維持することができ、しかも製造容易で低価格で製造することができる引戸のロック装置を提供することを目的としている。
【課題を解決するための手段】
【０００８】
本発明における課題解決のための具体的手段は、次の通りである。
この技術的課題を解決する本発明の技術的手段は、外面に長手方向の凹溝１８を有する縁部材９Ａが引戸本体３の端部に取り付けられ、この縁部材９Ａを引戸本体３で開口２を閉鎖した際に他の縁部材９Ｂに突き合わせるようにした引戸に具備されて、前記突き合わせ状態を維持する引戸のロック装置であって、
前記縁部材９Ａ，９Ｂの一方に掛止部材２５が設けられ、他方の縁部材９Ａの凹溝１８に長手方向に摺動自在に嵌合保持されたスライド体２６が設けられ、このスライド体２６に、スライド体２６の摺動により、前記掛止部材２５に係脱自在とされる係合部材２７が設けられている点にある。
【０００９】
また、本発明の他の技術的手段は、前記係合部材２７は、前記縁部材９Ａ，９Ｂ同士が突き合わされる対向面又は表裏側面の一側面に配置され、前記掛止部材２５は、係合部材２７が上側から係脱自在に係合してこれを受け止めるように、一方の縁部材９Ｂから鈎形に上方突出されている点にある。
また、本発明の他の技術的手段は、前記縁部材９Ａの表裏側面に凹溝１８が設けられており、前記スライド体２６は縁部材９Ａの表裏側面に一対設けられて、縁部材９Ａの表裏側面の凹溝１８にそれぞれ摺動自在に嵌合保持され、前記係合部材２７は前記縁部材９Ａ，９Ｂ同士が突き合わされる対向面を経由して、一対のスライド体２６に連結されている点にある。
【００１０】
また、本発明の他の技術的手段は、前記スライド体２６が設けられた縁部材９Ａには、前記掛止部材２５から離脱した位置で前記係合部材２７を保持する仮止め部材４２が設けられている点にある。
また、本発明の他の技術的手段は、前記係合部材２７は磁着性材料で形成され、前記仮止め部材４２が磁石で構成されている点にある。
【００１１】
また、本発明の他の技術的手段は、前記掛止部材２５が設けられた縁部材９Ｂには、ロック解除状態を示す表示４７とロック状態を示す表示４９とがそれぞれ仮止め部材４２と掛止部材２５に対応して施された表示シール４５が設けられている点にある。
【発明の効果】
【００１２】
本発明によれば、従来のように係合部材を縁部材に回動自在に支持する必要がなくなるため、縁部材に回転軸挿通用の孔を形成する面倒がなくなるし、縁部材の外面に形成されている既存の凹溝をそのまま利用して凹溝にスライド体を嵌合保持して、スライド体に係合部材を設ければよく、スライド体乃至係合部材を極めて簡単な構造で縁部材に長手方向摺動自在に保持することができ、係合部材をスライド体の摺動動作によって掛止部材に対して簡単かつ確実に係脱自在に係合することが可能になる。
【００１３】
従って、簡単な構造で縁部材同士の突き合わせ状態を維持することができて、ロック装置のロック及びロック解除を簡単な操作でなすことができるし、ロック装置を構成簡単にして製造容易でかつ安価に製造できるようになる。
【図面の簡単な説明】
【００１４】
【図１】本発明の第１実施形態を示す引戸の要部の正面図である。
【図２】同引戸の平面断面図である。
【図３】同一方の縁部材の側面図である。
【図４】同図２のＡ−Ａ線断面図である。
【図５】同図３のＢ−Ｂ線断面図である。
【図６】同一方の縁部材の斜視図である。
【図７】同他方の縁部材の斜視図である。
【図８】引戸全体の正面図である。
【図９】第２実施形態を示す引戸の要部の正面図である。
【図１０】同引戸の平面断面図である。
【図１１】同引戸全体の正面図である。
【図１２】第３実施形態を示す引戸の要部の正面図である。
【図１３】同引戸の平面断面図である。
【図１４】同一方の縁部材の側面図である。
【図１５】同他方の縁部材の側面図である。
【図１６】同一方の縁部材の斜視図である。
【図１７】同他方の縁部材の斜視図である。
【図１８】同左右縁部材の斜視図である。
【図１９】第４実施形態を示す引戸の要部の正面図である。
【図２０】同引戸の平面断面図である。
【発明を実施するための形態】
【００１５】
以下、本発明の実施の形態を図面に基づいて説明する。
図１〜図８は本発明の第１実施形態を示している。図８において、引戸１は、例えば工場や倉庫の出入り口に内外を仕切るために設けられたもので、両開き式であって、開口２を仕切るビニールカーテンで構成した左右一対の引戸本体３を具備している。
開口２の上方に支持レール５が左右方向に設けられ、左右の引戸本体３の上部の複数箇所が、複数の吊下部材６を介して支持レール５にそれぞれ左右方向に移動自在に吊り下げられている。
【００１６】
引戸本体３の左右方向の基端部（対向端部とは反対側の端部）に、外枠部材７が取り付けられ、この外枠部材７は支持レール５に吊下部材６を介して左右方向に移動自在に吊り下げられると共に、連結部材８により開口２の側縁部に連結固定されている。
左右の引戸本体３の対向端部に上下方向の縁部材９Ａ，９Ｂが取り付けられ、この縁部材９Ａ，９Ｂは支持レール５に吊下部材６を介して左右方向に移動自在に吊り下げられている。縁部材９Ａ，９Ｂの上下方向の中途部に把持具１２が取り付けられている。
【００１７】
而して、把持具１２を把持して縁部材９Ａ，９Ｂを左右方向の内方側に引っ張って縁部材９Ａ，９Ｂ同士を突き合わせることによって、開口２が開閉自在に閉鎖されるように構成されている。
図１〜図７において、左右の縁部材９Ａ，９Ｂは、アルミ等で押し出し成形により一体に成形されており、角筒状の胴部１４と胴部１４の角部から対角線方向に外方に突出した突出片１５と突出片１５から前後方向又は左右方向の内方に突出した外壁片１６とを有し、縁部材９Ａ，９Ｂの外面である対向面と表側面と裏側面とに凹溝１８（１８ａ，１８ｂ，１８ｃ）が長手方向（上下方向）に全長に亘って形成されている。縁部材９Ａ，９Ｂの対向面とは反対側に、胴部１４の前後方向の中央部から取付壁２０が外方突出されている。
【００１８】
取付壁２０に押え板２１が引戸本体３の端部を挟んで止めねじ等の締結具２２により締め付け固定され、これにより、左右の引戸本体３の対向端部に縁部材９Ａ，９Ｂが取り付けられている。
左右の縁部材９Ａ，９Ｂ間に、縁部材９Ａ，９Ｂの突き合わせ状態を維持するロック装置２４が設けられている。ロック装置２４は、一方の縁部材９Ｂに設けた掛止部材２５を備えると共に、他方の縁部材９Ａに設けた前後一対のスライド体２６と係合部材２７とを備えている。
【００１９】
掛止部材２５は、鉄板等により構成され、固定板部３０と固定板部３０から左右方向の外方に向けて鈎形に屈曲して上方に突出した掛止板部３１とを有し、固定板部３０は一方の縁部材９Ｂにおける対向面の凹溝１８ａの底壁に重合されて止めねじ等の締結具３３により締め付け固定され、掛止板部３１は凹溝１８ａ内から左右方向外方に突出されている。従って、後述するように係合部材２７が上側から係脱自在に係合してこれを受け止めるように、掛止部材２５は縁部材９Ｂから鈎形に上方突出されている。
【００２０】
前後のスライド体２６は、硬質の合成樹脂等により形成され、上下の摺動部３５と、上下の摺動部３５を連結する連結部３６とを有し、摺動部３５は連結部３６よりも凹溝１８ｂ、１８ｃの底壁に向けて突出していて、上下の摺動部３５が凹溝１８に摺動自在に嵌合されている。
係合部材２７は、鉄等の磁着性材料（強磁性体）によって平面視でコの字状に形成され、前後一対の連結板部３８と前後の連結板部３８に連結された係合板部３９とを有している。前後の連結板部３８は前後のスライド体２６の連結部３６の内面にそれぞれ重合配置されてビス等の締結具４０で締め付け固定されている。係合板部３９は、縁部材９Ａの対向面に沿って前後方向に配置されている。
【００２１】
従って、係合部材２７は前記縁部材９Ａ，９Ｂ同士が突き合わされる対向面を経由して、前後のスライド体２６に連結され、これにより、前後のスライド体２６が縁部材９Ａの胴部１４を前後に挟むように互いに連結されて、各スライド体２６が縁部材９Ａの前側面の凹溝１８ｂと後側面の凹溝１８ｃとにそれぞれ摺動自在に嵌合保持され、前後のスライド体２６の摺動により、係合部材２７の係合板部３９が掛止部材２５に上側から係脱自在に係合されて受け止められ、係合部材２７が掛止部材２５に係合することにより、左右の縁部材９Ａ，９Ｂの突き合わせ状態を維持するようになっている。
【００２２】
前記スライド体２６が設けられた縁部材９Ａには、掛止部材２５から上方に離脱した位置で係合部材２７を保持する仮止め部材４２が設けられている。この仮止め部材４２はゴム磁石により構成され、掛止部材２５よりも上方に位置して縁部材９Ａの対向面の凹溝１８ａ内に配置され、ビス等の締結具４３で凹溝１８ａの底壁に締め付け固定されている。従って、スライド体２６を掛止部材２５から上方に離脱した位置に摺動すると、係合部材２７が仮止め部材４２によってその磁力で吸引されて掛止部材２５から上方に離脱した位置に保持できるようになっている。
【００２３】
前記掛止部材２５が設けられた縁部材９Ｂには、表側面の凹溝１８ｂの底壁と裏側面の凹溝１８ｃの底壁とに、表示シール４５が貼り付けられている。表示シール４５の表面にはロック装置２４によるロック解除状態を示す「開」の表示４７と、ロック状態を示す「閉」の表示４９とがそれぞれ仮止め部材４２と掛止部材２５の掛止板部３１に対応して施されている。
【００２４】
而して、前後のスライド体２６乃至係合部材２７を上方に摺動して係合部材２７を「開」の表示４７に一致させれば、係合部材２７が仮止め部材４２に保持され、引戸１を開くことが可能になり、一対のスライド体２６乃至係合部材２７を下方に摺動して係合部材２７を「閉」の表示４９に一致させれば、係合部材２７が掛止部材２５に係合し、引戸１が開口２を閉鎖した状態にロックされるようになっている。
【００２５】
左右の縁部材９Ａ，９Ｂの対向面には、図２に２点鎖線で示すように、ロック装置２４の掛止部材２５又は係合部材２７を取り付けた部分を除いて、対向面の凹溝１８ａの全長に亘ってサイドクッション４６が装着されており、縁部材９Ａ，９Ｂ同士を突き合わせた際に図示省略の磁石の吸引力によってサイドクッション４６同士が押圧接当して、突き合わせた縁部材９Ａ，９Ｂ間を密閉状に塞ぐようになっている。
【００２６】
前記第１実施形態によれば、ロック装置２４の係合部材２７が掛止部材２５に係合した状態（ロック状態）から開口２を開く場合、まず、引戸１の前側又は後側から一方のスライド体２６を持ち上げて、前後のスライド体２６乃至係合部材２７を上方に移動し、係合部材２７を仮止め部材４２によって掛止部材２５から上方に離脱した位置に保持する。
その後、把持具１２を把持して左右の縁部材９Ａ，９Ｂを左右方向の外方に引っ張って縁部材９Ａ，９Ｂ同士を左右に離間させて開口２を開けばよく、ロック装置２４によるロックを簡単に解除して開口２を開くことができる。
【００２７】
また、開口２を閉じる場合、把持具１２を把持して左右の縁部材９Ａ，９Ｂを左右方向の内方に引っ張って縁部材９Ａ，９Ｂ同士を突き合わせることによって、開口２が開閉自在に閉鎖される。その後、引戸１の前側又は後側から一方のスライド体２６を押し下げて、前後のスライド体２６乃至係合部材２７を下方移動すればよく、係合部材２７が仮止め部材４２から外れて掛止部材２５に係合し、縁部材９Ａ，９Ｂ同士を突き合わせた状態にロック装置２４で簡単にロックすることができる。
【００２８】
従って、従来のように係合部材２７を縁部材９Ａに回動自在に支持する必要がなくなるため、縁部材９Ａ，９Ｂに回転軸挿通用の孔を形成する面倒がなくなるし、縁部材９Ａの外面に形成されている既存の凹溝１８ｂ，１８ｃをそのまま利用して凹溝１８ｂ，１８ｃに左右のスライド体２６をそれぞれ嵌合して、スライド体２６乃至係合部材２７を極めて簡単な構造で縁部材９Ａに長手方向摺動自在に保持することができ、係合部材２７をスライド体２６の摺動動作によって掛止部材２５に対して簡単かつ確実に係脱自在に係合することが可能になる。その結果、ロック装置２４のロック及びロック解除を簡単な操作でなすことができるし、ロック装置２４を構成簡単にして製造容易でかつ安価に製造できるようになる。
【００２９】
しかも、係合部材２７は縁部材９Ａ，９Ｂ同士が突き合わされる対向面を経由して前後のスライド体２６に連結されているので、前後のスライド体２６が縁部材９Ａの胴部１４を前後に挟むように互いに連結されて、各スライド体２６が縁部材９Ａの前側面の凹溝１８ｂと後側面の凹溝１８ｃから不測に抜脱しないようにより確実かつ安定に嵌合保持できるし、前後のスライド体２６乃至係合部材２７を少ない材料で頑丈な構造物に構成することができ、これらを縁部材９Ａの長手方向に安定した姿勢でスムーズに移動させることが可能になり、ロック装置２４全体をより一層少ない構成部材で頑丈に構成することができる。
【００３０】
また、縁部材９Ａに前後のスライド体２６及び係合部材２７を取り付けるには、縁部材９Ａの前側又は後側から前後のスライド体２６を縁部材９Ａの凹溝１８ｂ、１８ｃにそれぞれ嵌合した後、縁部材９Ａにその対向面側から係合部材２７を外嵌させるように配置して、連結板部３８をそれぞれ締結具４０で前後のスライド体２６に連結すればよく、前後のスライド体２６及び係合部材２７を縁部材９Ａの上端又は下端から嵌合して縁部材９Ａの中途部まで摺動させるような面倒な取付作業をする必要がなくなり、前後のスライド体２６及び係合部材２７を後付でも縁部材９Ａに簡単に取り付けることができる。
【００３１】
また、縁部材９Ｂには、ロック解除状態を示す表示４７とロック状態を示す表示４９とが施された表示シール４５が設けられているので、スライド体２６の摺動位置によってロック装置２４がロック解除状態になっているかロック状態になっているかが分かり易くなり、便利である。
図９〜図１１は第２実施形態を示している。図１１において、引戸１は片開きであって、開口２を仕切るビニールカーテンで構成した１つの引戸本体３を具備している。
【００３２】
引戸本体３の上部の複数箇所が、複数の吊下部材６を介して支持レール５にそれぞれ左右方向に移動自在に吊り下げられ、引戸本体３の左右方向の基端部（対向端部とは反対側の端部）に、外枠部材７が取り付けられ、この外枠部材７は支持レール５に吊下部材６を介して左右方向に移動自在に吊り下げられると共に、連結部材８により開口２の側縁部に連結固定されている。
【００３３】
開口２の外枠部材７とは反対側の側縁部に縁部材９Ｂが設けられ、この縁部材９Ｂに対向する引戸本体３の対向端部に上下方向の縁部材９Ａが取り付けられ、この縁部材９Ａは支持レール５に吊下部材６を介して左右方向に移動自在に吊り下げられ、縁部材９Ａの上下方向の中途部に把持具１２が取り付けられている。而して、把持具１２を把持して縁部材９Ａを左右方向の他方の縁部材９Ｂ側に引っ張って縁部材９Ａ，９Ｂ同士を突き合わせることによって、開口２が開閉自在に閉鎖されるように構成されている。
【００３４】
図９及び図１０において、引戸本体３の対向端部に取り付けた縁部材９Ａは、前記第１実施形態の縁部材９Ａと同様に、胴部１４と突出片１５と外壁片１６とを有し、縁部材９Ａの外面である対向面と表側面と裏側面とに凹溝１８（１８ａ，１８ｂ，１８ｃ）が形成され、縁部材９Ａの対向面とは反対側に、取付壁２０が外方突出されている。取付壁２０に押え板２１が引戸本体３の端部を挟んで締付具２２により締め付け固定されている。
【００３５】
縁部材９Ａ，９Ｂ間に、縁部材９Ａ，９Ｂの突き合わせ状態を維持するロック装置２４が設けられている。このロック装置２４は、前記第１実施形態の場合と同様に縁部材９Ｂに設けた掛止部材２５と、他方の縁部材９Ａに設けた前後のスライド体２６と係合部材２７とを備え、掛止部材２５は縁部材９Ｂの対向面に締結具３３により締め付け固定されている。スライド体２６が設けられた縁部材９Ａには、掛止部材２５から上方に離脱した位置で係合部材２７を保持するゴム磁石製の仮止め部材４２が設けられている。その他の点は前記第１実施形態の場合と同様の構成である。
【００３６】
図１２〜図１８は第３実施形態を示し、前記第１実施形態における掛止部材２５、一対のスライド体２６及び係合部材２７の形状を変更したものである。
掛止部材２５は、鉄板等により構成され、固定板部３０と一対の掛止板部３１とを有し、固定板部３０は前後方向に長い板状に形成され、前後方向の中央部が固定板４８によって縁部材９Ｂの対向面に固定され、前後方向の両端部が縁部材９Ｂの前後に外方突出されている。前後の掛止板部３１は縁部材９Ｂよりも前後方向の外方に配置され、半割の円筒状に湾曲形成されて、固定板部３０の両端部からその湾曲面を左右方向の外方に向けて上方に突出されている。
【００３７】
固定板４８は、上下一対の固定部５０と固定部５０を連結する押え部５１とを有し、上下の固定部５０は縁部材９Ｂの凹溝１８ａの底壁に重合配置されて止めねじ等の締結具５２で縁部材９Ｂに締め付け固定され、押え部５１は上下の固定部５０から左右方向の外方に向けてコの字状に折曲されており、固定板部３０に外嵌してこれを縁部材９Ｂに押さえ付けている。
【００３８】
一対のスライド体２６の連結部３６は、上下の摺動部３５から前後方向外方に大きく突出されて側面視でコの字状に形成され、連結部３６の縁部材９Ａ対向面とは反対側に閉塞壁５４が設けられ、閉塞壁５４は上下の摺動部３５に連結されている。
係合部材２７は、平面視で前後方向に長いコの字状に形成されて、係合板部３９が前後方向に長く形成され、前後の連結板部３８の先端側に前後方向の内方に折曲した連結突部５５が設けられ、前後の連結板部３８が連結部３６の内面に配置され、連結突部５５が閉塞壁５４の内面に配置されてビス等の締結具５６で締め付け固定されている。その他の点は前記第１実施形態の場合と同様の構成である。
【００３９】
この第３実施形態の場合、第１実施形態の作用効果に加えて、引戸１の前側又は後側からロック装置２４の係合部材２７が掛止部材２５に係合しているか否かを目で確認できるため、ロック装置２４によるロック忘れを防止できる等の効果があり、便利である。
図１９〜図２０は第４実施形態を示し、前記第２実施形態における掛止部材２５、一対のスライド体２６及び係合部材２７の形状を前記第３実施形態の場合と同様に変更したものであり、前記第２実施形態の場合と同様に、引戸１は片開き式であって、開口２を仕切るビニールカーテンで構成した１つの引戸本体３を具備し、引戸本体３の対向端部に縁部材９Ａが取り付けられ、この縁部材９Ａを開口２の側縁部に設けた縁部材９Ｂに突き合わせることによって、開口２が開閉自在に閉鎖されるように構成されている。
【００４０】
また、第３実施形態の場合と同様に、ロック装置２４の掛止部材２５は、固定板部３０と半割の円筒状に形成された一対の掛止板部３１とを有し、固定板部３０が締結具３３によって縁部材９Ｂの対向面に固定されている。一対のスライド体２６の連結部３６は、側面視でコの字状に形成され、これに閉塞壁５４が設けられている。係合部材２７は、係合板部３９が前後方向に長く形成され、連結板部３８の先端側に連結突部５５が設けられ、連結突部５５が閉塞壁５４の内面に配置されて締結具５６で締め付け固定されている。
【００４１】
なお、前記実施形態では、スライド体２６は縁部材９Ａ，９Ｂの表裏側面の凹溝１８にそれぞれ摺動自在に嵌合保持され、係合部材２７は縁部材９Ａ，９Ｂ同士が突き合わされる対向面を経由して一対のスライド体２６に連結されているが、これに代え、スライド体２６を１つだけ設け、縁部材９Ａ，９Ｂの対向面又は表裏側面の１つの凹溝１８に摺動自在に嵌合保持し、この１つのスライド体２６に係合部材２７を片持ち状に突設してもよい。また、係合部材２７は、縁部材９Ａ，９Ｂ同士が突き合わされる対向面又は表裏側面の一側面のみに配置するようにしてもよい。
【００４２】
また、前記実施形態では、掛止部材２５は、係合部材２７が上側から係脱自在に係合してこれを受け止めるように、一方の縁部材９Ｂから鈎形に上方突出されているが、これに代え、掛止部材２５を、例えば一方の縁部材９Ｂから左右方向又は前後方向に外方突出させた後にコの字状又はＵ字状に折曲させて、係合部材２７の摺動によって係脱自在に係合保持できるように構成してもよい。
【００４３】
また、引戸本体３は開口２を仕切るビニールカーテンで構成したものに限定されず、開口２を開閉自在に閉塞するものであれば、木板、ガラス板、蛇腹状の遮蔽板その他であってもよい。また、引戸１は工場や倉庫の出入り口を開閉するものに限定されず、建物の部屋の内部その他を開閉するものであってもよい。
また、前記実施形態では、仮止め部材４２が磁石で構成されているが、これに代え、仮止め部材４２を、板バネ等を使用した機構的な部品で構成して、係合部材２７を係合や嵌合によって仮止めするように構成してもよい。
【符号の説明】
【００４４】
１      引戸
２      開口
３      引戸本体
９Ａ    縁部材
９Ｂ    縁部材
１８    凹溝
２４    ロック装置
２５    掛止部材
２６    スライド体
２７    係合部材
４５    表示シール
４７    ロック解除状態を示す表示
４９    ロック状態を示す表示
【図１】
2015190242.tif 000003
【図２】
2015190242.tif 000004
【図３】
2015190242.tif 000005
【図４】
2015190242.tif 000006
【図５】
2015190242.tif 000007
【図６】
2015190242.tif 000008
【図７】
2015190242.tif 000009
【図８】
2015190242.tif 000010
【図９】
2015190242.tif 000011
【図１０】
2015190242.tif 000012
【図１１】
2015190242.tif 000013
【図１２】
2015190242.tif 000014
【図１３】
2015190242.tif 000015
【図１４】
2015190242.tif 000016
【図１５】
2015190242.tif 000017
【図１６】
2015190242.tif 000018
【図１７】
2015190242.tif 000019
【図１８】
2015190242.tif 000020
【図１９】
2015190242.tif 000021
【図２０】
2015190242.tif 000022